(57)【要約】【課題】  押鍵時のタッチ感覚を悪くしたり、鍵盤を汚したりすることなく、楽譜の音符と鍵盤の各鍵との対応関係を分かり易くすることのできる演奏教材を提供すること。【解決手段】  演奏教材２０に、楽譜２２ａの音符２４に付記される音名標記２５を鍵盤１５の鍵域ごとに異なる色に着色して印刷した頁２２と、切り取って鍵盤部１２の前端部１２ａの上面に鍵盤１５に対応させて設置するための音名表示部２１ａ〜２１ｇを楽譜２２ａの音名標記２５の着色と対応するように色分けして印刷した頁２３とを含ませた。また、音名表示部材２１を、表示部本体２７と、表示部本体２７に対して折り曲げられる支持部２７ａとで構成し、支持部２７ａを鍵盤部１２の前端部１２ａと鍵盤１５の前端部との隙間に差し込んで、表示部本体２７を前端部１２ａの上面に配置した。さらに、複数の音名表示部２１ａ〜２１ｇを繋ぎ合わせて一体とした。【選択図】  図１
0003124054.tif 000002
【実用新案登録請求の範囲】
【請求項１】
鍵盤楽器を演奏するときに用いられる演奏教材であって、
楽譜における音符または音符に付記される音名標記を鍵盤の鍵域ごとに異なる色になるように着色して前記楽譜を所定の頁に印刷するとともに、
切り取って前記鍵盤楽器の本体における鍵盤に近接して前記鍵盤に対応させて設置するための音名表示部を前記楽譜の音符または音名標記の着色と対応するように色分けして他の所定の頁に印刷したことを特徴とする演奏教材。
【請求項２】
前記音名表示部を、表示部本体と、前記表示部本体に対して折り曲げられる支持部とで構成し、前記支持部を前記鍵盤楽器の本体側と前記鍵盤の前端部との隙間に差し込んで、前記表示部本体を前記鍵盤楽器の本体における鍵盤の前端側部分の上面に配置できるようにした請求項１に記載の演奏教材。
【請求項３】
前記他の所定の頁から切り取られた複数の音名表示部を繋ぎ合わせて一体の音名表示部材を形成することができ、前記一体からなる音名表示部材を前記鍵盤楽器の本体に取り付けることができるようにした請求項１または２に記載の演奏教材。
【考案の詳細な説明】
【技術分野】
【０００１】
本考案は、楽譜に記載された音符と鍵盤の各鍵との対応関係を分かり易くするための演奏教材に関する。
【背景技術】
【０００２】
従来から、初心者向けの演奏教材の中には、「ドレミファソラシド」の各音名を対応する音符の近傍に印字して、楽譜に記載された音符と音名との対応関係を分かり易くしたものがある。また、さらに楽譜に記載された音符と鍵盤の各鍵との対応関係を分かり易くするために、鍵盤に貼り付けることのできる音名表示用のシートが剥離可能な状態で設けられた鍵盤楽器用の演奏教材もある（例えば、特許文献１参照）。すなわち、この演奏教材のシートは、表面に音名が表示され裏面に粘着剤が塗布されており、演奏教材から剥離した各シートを鍵盤の各鍵の上面に貼り付けてその音名を見ながら鍵盤楽器の演奏が行えるようにしている。
【特許文献１】登録実用新案第３０１７８６０号公報
【考案の開示】
【０００３】
しかしながら、前述した従来の演奏教材では、シートを鍵盤の上面に貼り付けるため、鍵盤楽器を演奏する際に、シートが指先に当たって鍵盤に対するタッチ感覚が悪くなるという問題がある。また、指先が接触するため、シートが鍵盤から剥がれ易くなるという問題や粘着剤で鍵盤が汚れてしまうという問題もある。さらに、シートを鍵盤に貼り付けるため、鍵盤楽器の高級感が損なわれるという問題も生じる。
【０００４】
本考案は、前述した問題に対処するためになされたもので、その目的は、押鍵時のタッチ感覚を悪くしたり、鍵盤を汚したりすることなく、楽譜に記載された音符と鍵盤の各鍵との対応関係を分かり易くすることのできる演奏教材を提供することである。
【０００５】
前述した目的を達成するため、本考案に係る演奏教材の構成上の特徴は、鍵盤楽器を演奏するときに用いられる演奏教材であって、楽譜における音符または音符に付記される音名標記を鍵盤の鍵域ごとに異なる色になるように着色して楽譜を所定の頁に印刷するとともに、切り取って鍵盤楽器の本体における鍵盤に近接して鍵盤に対応させて設置するための音名表示部を楽譜の音符または音名標記の着色と対応するように色分けして他の所定の頁に印刷したことにある。
【０００６】
前述のように構成した本考案に係る演奏教材は、鍵盤楽器の本体における鍵盤の手前に設置して各鍵の音名を確認するための音名表示部が印刷された頁を含んでいる。すなわち、この音名表示部には音名が表記されており、この音名表示部を見ることにより各鍵の音名を知ることができる。したがって、演奏教材からこの音名表示部を切り取って鍵盤楽器の本体における鍵盤の前側部分に設置することにより、その音名表示部に表示された音名を見ながら演奏することができる。また、音名表示部には鍵盤の各鍵域（音域）ごとに異なる色が着色されている。さらに、演奏教材は、楽譜が印刷された頁も備えており、この楽譜の音符または音符の近傍に付された音名には、音名表示部の鍵域を示す色に対応する着色が施されている。
【０００７】
このため、楽譜が印刷された頁を開いた状態で、演奏教材を鍵盤楽器の譜面立てに置き、楽譜に表示された音符または音名とその色とに一致する音名表示部の音名と色とに対応する鍵盤の各鍵を順次押鍵していくことにより、楽譜通りの演奏が正確にできる。このように、視覚によって弾くべき音を確認しながら演奏できるため、楽譜を読めない初心者であっても、正確な演奏が行えるようになる。楽譜上の音符と鍵盤との対応を把握する訓練効果を実現できる。また、この場合、音名表示部が設置される場所が、鍵盤でなく鍵盤楽器の本体における鍵盤の手前側部分であるため、演奏時に演奏者の手が音名表示部に触れることがない。したがって、演奏時に、音名表示部に演奏者の指先が触れて押鍵時のタッチ感覚が悪くなるといったことは生じない。
【０００８】
また、本考案に係る演奏教材の他の構成上の特徴は、音名表示部を、表示部本体と、表示部本体に対して折り曲げられる支持部とで構成し、支持部を鍵盤楽器の本体側と鍵盤の前端部との隙間に差し込んで、表示部本体を鍵盤楽器の本体における鍵盤の前端側部分の上面に配置できるようにしたことにある。
【０００９】
これによると、音名表示部の鍵盤楽器への取り付けが、音名表示部を演奏教材から切り取ったのちに、音名表示部における表示部本体と支持部との境界部を折り曲げて、表示部本体を上方に向けた状態で、支持部を鍵盤楽器の本体と鍵盤の前端部との隙間に差し込むだけで済むため容易になる。また、音名表示部を使用しない場合には、取り外しておくこともできるため、粘着剤等で鍵盤楽器が汚れたり、鍵盤楽器の高級感を損ねたりすることも生じない。
【００１０】
また、本考案に係る演奏教材のさらに他の構成上の特徴は、他の所定の頁から切り取られた複数の音名表示部を繋ぎ合わせて一体の音名表示部材を形成することができ、一体からなる音名表示部材を鍵盤楽器の本体に取り付けることができるようにしたことにある。これによると、鍵盤の幅方向の長さと同じ長さの音名表示部材を一体として構成できる。このため、音名表示部材を鍵盤楽器に設置したときに、音名表示部材を構成する各音名表示部が位置ずれして、離れたり重なったりすることを防止でき、音名表示部の設置位置を適正な位置にすることができる。
【考案を実施するための最良の形態】
【００１１】
以下、本考案の一実施形態を図面を用いて説明する。図１は、本考案の鍵盤楽器としてのアコースティックのアップライトピアノ１０に、本実施形態に係る演奏教材２０を取り付けた状態を示している。アップライトピアノ１０は、ピアノ本体１１と、ピアノ本体１１から前方に突出した鍵盤部１２とで構成されている。ピアノ本体１１の外郭部は縦方向および幅方向が大きく、奥行きが小さく設定された四角箱状に形成され、鍵盤部１２の外郭部はピアノ本体１１の前面における上下方向の略中央から前方に向かって突出した略四角箱状に形成されている。そして、ピアノ本体１１の上面は前部側部分が開閉可能になった屋根板部１３で構成され、鍵盤部１２の上面は開閉可能な蓋部１４で構成されている。
【００１２】
また、鍵盤部１２の内部上面には、複数の白鍵と黒鍵とからなる鍵盤１５が設けられている。そして、ピアノ本体１１の内部には鍵盤１５の各鍵を押したときに、その押鍵操作に連動して駆動されるアクション部、アクション部が備えるハンマの衝撃により振動する弦および弦の振動に応じて楽音を発生する響板（いずれも図示せず）等が設けられている。また、ピアノ本体１１の前面下部中央には、演奏者が位置する正面側から向って左に位置するソフトペダル１６ａと、中央に位置するソステヌートペダル１６ｂと、右に位置するダンパーペダル１６ｃとからなるペダル部１６が取り付けられている。
【００１３】
また、蓋部１４の裏面には、蓋部１４にヒンジ連結されて折り畳みが可能になった譜面立て１７が設けられている。そして、上方に回転して開いた状態の蓋部１４の裏面から離すように譜面立て１７を手前側に倒し、その状態の譜面立て１７に演奏教材２０が所定の頁を開いた状態で載せられている。また、鍵盤部１２の上面における鍵盤１５の手前側部分には、演奏教材２０の所定の頁を切り抜いて形成した音名表示部材２１が設置されている。
【００１４】
演奏教材２０は、図２に示した楽譜２２ａが印刷された頁２２等と、図３に示した音名表示部材２１を構成する音名表示部２１ａ〜２１ｇや音名表示部２１ａ〜２１ｇを組み付けた状態を示した完成見本２３ａが印刷された頁２３とを含んでいる。楽譜２２ａには、楽曲の音を表す各音符２４と、各音符２４の音名を標記した音名標記２５が印刷されており、音名標記２５は、各音域ごとに色分けされたカタカナ文字で表されている。例えば、図２において、音名標記２５ａは青色、音名標記２５ｂは緑色といったように各音符２４の音域に応じて各種の色が施されている。なお、この音名標記２５の色は、各音域によって、赤、橙、黄、緑、青、紺、紫の７色の色に区分される。
【００１５】
また、演奏教材２０の頁２３は、他の頁の略２倍の面積を有する厚紙からなる挿入頁で構成されており、音名表示部２１ａ〜２１ｇは、頁２３の紙面に入る大きさの各部分に分割されて印刷されている。すなわち、音名表示部２１ａ，２１ｂを構成する部分、音名表示部２１ｃ，２１ｄ，２１ｅを構成する部分および音名表示部２１ｆ，２１ｇを構成する部分がそれぞれ連続した部分になっている。そして、各音名表示部２１ａ〜２１ｇは、それぞれ７等分された領域２６で構成されており、７等分された各領域２６にそれぞれドレミファソラシドのうちの１文字が音名標記２６ａとして向かって左から右に順に記載されている。また、各音名表示部２１ａ〜２１ｇには、それぞれ赤、橙、黄、緑、青、紺、紫の７色の色のいずれかが施されており、色によって音域の違いを区分できるようにしている。
【００１６】
また、音名表示部２１ａ〜２１ｇの各領域２６の幅は、鍵盤１５における白鍵の幅と同じに設定されており、黒鍵に対応する部分には、黒鍵と同じ幅の領域２６ｂが記載されている。この領域２６ｂには黒色が施されている。また、各音名表示部２１ａ〜２１ｇは、音名標記２６ａが記載された表示部本体２７と、表示部本体２７の縁部に沿って左右に延びる支持部２７ａとで構成され、表示部本体２７と支持部２７ａとの境界線には、折り線（山折り）の文字および破線からなる目印２７ｂが記載されている。
【００１７】
そして、音名表示部２１ｃの左側部分にはノリシロ部２８ａが設けられ、音名表示部２１ｅの右側部分にはノリシロ部２８ｂが形成されている。また、頁２３における音名表示部２１ａ，２１ｂを構成する部分、音名表示部２１ｃ，２１ｄ，２１ｅを構成する部分とノリシロ部２８ａ，２８ｂおよび音名表示部２１ｆ，２１ｇを構成する部分の各部分の周囲にはそれぞれ切り取り部を示したキリトリ線２９が記載されている。また、完成見本２３ａは、音名表示部２１ａ〜２１ｇを組み付けた状態を示しており、音名表示部２１ａ〜２１ｇの色は、図３の左側から右側に向かって、順に、赤、橙、黄、緑、青、紺、紫になっている。
【００１８】
つぎに、このように構成した演奏教材２０から音名表示部材２１を作成してアップライトピアノ１０に取り付けるとともに、演奏教材２０の所定の頁２２等に記載された楽譜２２ａを見ながら演奏する場合について説明する。まず、演奏教材２０の頁２３をキリトリ線２９に沿ってハサミで切断して、音名表示部２１ａ，２１ｂ、音名表示部２１ｃ，２１ｄ，２１ｅおよび音名表示部２１ａ〜２１ｇを構成する各部分を切り抜く。つぎに、音名表示部２１ｂの右端部分の裏面と、音名表示部２１ｃのノリシロ部２８ａの表面とを糊で貼り付けるとともに、音名表示部２１ｅのノリシロ部２８ｂの表面と、音名表示部２１ｆの左端部分の裏面とを糊で貼り付けて音名表示部２１ａ〜２１ｇを一体に繋ぎ合わす。ついで、目印２７ｂが山側になるようにして一体になった音名表示部２１ａ〜２１ｇを折り曲げることにより音名表示部材２１が形成される。
【００１９】
そして、アップライトピアノ１０の蓋部１４を開き、音名表示部材２１の支持部２７ａを、図４に示したように、鍵盤部１２の前端部１２ａと鍵盤１５の前端部との間の隙間に差し込んで、音名標記２６ａが記載された表示部本体２７が前端部１２ａの上面に位置するようにする。また、蓋部１４の譜面立て１７を前側に倒し、この譜面立て１７に、所定の頁２２等を開いた状態の演奏教材２０を置く。これによって、鍵盤１５の各白鍵と各黒鍵との音名と音域とを、鍵盤１５に隣接して設置された音名表示部材２１の音名標記２６ａや各領域２６の色で視覚的に認識できるようになる。
【００２０】
すなわち、音名表示部２１ａ〜２１ｇを切り抜く前の演奏教材２０の頁２３における音名表示部２１ｃ〜２１ｅの上方には、音名表示部２１ｃ〜２１ｅに対応する楽譜３１が記載されており、この楽譜３１にしたがって、音名表示部２１ｃ〜２１ｅの所定の領域２６，２６ｂに対応する白鍵または黒鍵を弾くことにより楽譜３１に応じた演奏ができる。同様に、演奏教材２０の楽譜が記載された頁を見ながら、鍵盤１５の各鍵を順次弾いていくことにより、その楽譜に記載された曲を弾くことができる。この場合、鍵盤１５だけでなく、ペダル部１６のソフトペダル１６ａ、ソステヌートペダル１６ｂおよびダンパーペダル１６ｃを操作してもよく、これによって、押鍵後の音を響かせたり止めたりすることができる。また、演奏しないときには、音名表示部材２１を取り外しておくこともできる。
【００２１】
このように、本実施形態に係る演奏教材２０は、楽譜２２ａが印刷された頁２２等の他に、音名表示部２１ａ〜２１ｇが印刷された頁２３を含んでいる。このため、演奏教材２０からこの音名表示部２１ａ〜２１ｇを切り取って組み付けることにより音名表示部材２１を形成することができ、この音名表示部材２１を鍵盤部１２における鍵盤１５の前側部分に設置することにより、その音名表示部材２１の音名標記２６ａを見ながら演奏することができる。また、音名表示部材２１の各領域２６には音域ごとに異なる色が着色されており、楽譜２２ａに付された音名標記２５にも、音名表示部材２１の領域２６の色に対応する色がそれぞれ施されている。
【００２２】
このため、演奏教材２０を譜面立て１７に置き、楽譜２２ａの音名標記２５とその色とに一致する音名表示部材２１の音名標記２６ａと領域２６の色に対応する鍵盤１５の各鍵を順次押鍵していくことにより、楽譜２２ａ通りの演奏が正確にできる。このように、視覚によって弾くべき音を確認しながら演奏できるため、楽譜を読めない初心者であっても、正確な演奏ができるようになる。また、この場合、音名表示部材２１が演奏者の手が触れない鍵盤部１２の前端部１２ａに取り付けられるため、音名表示部材２１によって、押鍵時のタッチ感覚が悪くなるといったことは生じない。
【００２３】
また、音名表示部材２１の取り付けが、表示部本体２７を上方に向けた状態で、支持部２７ａを鍵盤部１２の前端部１２ａと鍵盤１５の前端部との間の隙間に差し込むだけで済むため簡単である。さらに、音名表示部材２１が３つに分割されて印刷された音名表示部２１ａ〜２１ｂ、音名表示部２１ｃ〜２１ｅ、音名表示部２１ｆ〜２１ｇの各部分を繋ぎ合わせて一体として構成されているため、音名表示部材２１の長さを鍵盤１５の幅方向の長さと同じ長さにすることができる。これによって、音名表示部材２１を鍵盤部１２に設置したときに、各音名表示部２１ａ〜２１ｇが位置ずれして、離れたり重なったりすることを防止でき、音名表示部材２１の設置位置を適正な位置にすることができる。
【００２４】
また、本考案に係る演奏教材は、前述した実施形態に限定するものでなく、適宜、変更実施が可能である。例えば、前述した実施形態では、楽譜２２ａに付された音名標記２５を、音名表示部材２１の領域２６の色に対応させて着色しているが、これに代えて、音符２４を音名表示部材２１の領域２６の色に対応させて着色してもよいし、音符２４と音名標記２５の双方を着色してもよい。また、前述した実施形態では、演奏教材２０の頁２３を厚紙で構成しているが、厚紙に代えて、ビニール、セルロイドや他の合成樹脂材料等を用いてもよい。色の順番や色の種類は相互に異なっていれば任意でよい。また、音名表示部材２１は、鍵盤部１５の後端（奥側）と鍵盤１５との隙間に差し込むようにしてもよい。
【００２５】
さらに、前述した実施形態では、音名表示部材２１の設置を、支持部２７ａを鍵盤部１２の前端部１２ａと鍵盤１５の前端部との間の隙間に差し込むことにより行っているが、音名表示部材２１の裏面に吸着性または粘着性のある材料を塗布し、この材料を介して鍵盤部１２の前端部１２ａに設置してもよい。吸着性を備えた材料を用いた場合には、音名表示部材の鍵盤部１２への固定をより確実にできるとともに、音名表示部材が着脱可能になり、さらに、鍵盤部１２を汚すことがないためより好適である。また、前述した実施形態では、鍵盤楽器を、アップライトピアノ１０としているが、この鍵盤楽器としては、グランドピアノ、オルガン、電子ピアノ等の鍵盤を備えた楽器を用いることもできる。また、演奏教材を構成するそれ以外の各部分の構造や材質等についても適宜変更して実施することができる。
【図面の簡単な説明】
【００２６】
【図１】本考案の一実施形態に係る演奏教材および音名表示部材をアップライトピアノに取り付けた状態を示した斜視図である。
【図２】演奏教材が備える楽譜が記載された頁を示した平面図である。
【図３】演奏教材が備える音名表示部と完成見本が記載された頁を示した平面図である。
【図４】音名表示部材を鍵盤部に取り付けた状態を示した斜視図である。
【符号の説明】
【００２７】
１０…アップライトピアノ、１１…ピアノ本体、１２…鍵盤部、１２ａ…前端部、１５…鍵盤、２０…演奏教材、２１…音名表示部材、２１ａ，２１ｂ，２１ｃ，２１ｄ，２１ｅ，２１ｆ，２１ｇ…音名表示部、２２，２３…頁、２２ａ…楽譜、２４…音符、２５，２５ａ，２５ｂ，２５ｃ，２６ａ…音名標記、２６，２６ｂ…領域、２７…表示部本体、２７ａ…支持部。
【図１】
0003124054.tif 000003
【図３】
0003124054.tif 000004
【図４】
0003124054.tif 000005
【図２】
0003124054.tif 000006